(57)【要約】【課題】用便の種類によって洗浄用の水槽に供給される水の量を異なるようにして、小便の時は少量を、大便の時は大量を供給させて洗浄水が節約できるようにする。【解決手段】洗浄水を貯蔵する水槽３３、便座３４及び用便部位及び局部洗浄用の洗浄ノズル３７を含むビデ４０とを備えて設置される便器３０において、水槽３３とビデ４０へ洗浄水を供給する分枝管４１と、上記分枝管４１にはビデ４０と水槽３３へ洗浄水の供給が選択できるように水槽バルブ４７とビデバルブ５２を有して設置される３方向バルブ４２とを備える。水槽バルブ４７は水槽３３に設置される小便水位ＳＬと大便水位ＬＬを決める小便水位センサー４３と大便水位センサー４４の感知と、上記ビデ４０のコントロールパッド３６に具備されるボタンの選択とで、制御部５０によって開閉される。【選択図】図２
2005054567.tif 000002
【特許請求の範囲】
【請求項１】
水タンクや上水管と供給管３１で連結されて水洗に必要になる一定量の洗浄水３２を貯蔵できるように具備される水槽３３と、上記水槽３３の前方には使用者が座れるように具備される便座３４と、上記便座３４には用便後、用便部位及び局部の洗浄ができるように便座３４底面に具備する洗浄ノズル３７と、多数個の操作ボタンを持つコントロールパッド３６を含むビデ４０とを設置して構成される便器３０において、
上記便器３０に使用される洗浄水３２を節約するために平常時と小便時には便器３０の水槽３３に供給する洗浄水３２を小便後、使用できるように満水位（大便水位）の半分ほどである小便水位ＳＬを維持させて、
大便後はビデ４０に具備される洗浄ボタンや別途の補充ボタンによって洗浄水３２を水槽３３の満水位に当たる大便水位ＬＬを維持するようにして、小便時、洗浄水の節約ができるようにしたことを特徴とするビデと連係された便器節水方法。
【請求項２】
水タンクや上水管と供給管３１で連結されて水洗に必要になる一定量の洗浄水３２を貯蔵できるように具備される水槽３３と、上記水槽３３の前方には使用者が座れるように具備される便座３４と、上記便座３４には用便後、用便部位及び局部の洗浄ができるように便座３４底面に具備する洗浄ノズル３７と、多数個の操作ボタンを持つコントロールパッド３６を含むビデ４０とを設置して構成される便器３０において、
上記供給管３１を利用して水槽３３とビデ４０に洗浄水３２の供給ができるように設置する分枝管４１と、
上記分枝管４１にはビデ４０と水槽３３に洗浄水３２の供給が選択的に可能となるように水槽バルブ４７とビデバルブ５２を有して設置される３方向バルブ４２とを備え、
上記３方向バルブ４２のビデバルブ５２は、コントロールパッド３６に具備されるビデボタン５１の選択で制御部５０によって開閉されるようにし、
上記３方向バルブ４２の水槽バルブ４７は、水槽３３に設置される小便水位ＳＬと大便水位ＬＬを決める小便水位センサー４３と大便水位センサー４４の感知と、上記ビデ４０のコントロールパッド３６に具備される洗浄ボタン４５の選択とで、制御部５０によって開閉されるようにすることを特徴とするビデと連係された便器節水装置。
【請求項３】
請求項２において、上記３方向バルブ４２の水槽バルブ４７は、水槽３３に設置される小便水位ＳＬと大便水位ＬＬを決める小便水位センサー４３と大便水位センサー４４の感知と、上記ビデ４０のコントロールパッド３６に別途具備される補充ボタン４６の選択とで、制御部５０によって開閉されるようにすることを特徴とするビデと連係された便器節水装置。
【請求項４】
請求項２において、上記供給管３１に、水槽３３へ洗浄水３２を供給するための水槽インレット管６０とビデインレット管６１とを各々設置して、上記水槽インレット管６０とビデインレット管６１に水槽バルブ４７ａとビデバルブ５２ａとを独立設置することを特徴とするビデと連係された便器節水装置。
【請求項５】
請求項２において、上記水槽３３に洗浄水３２を供給する供給管３１ｂの中途に、ビデ４０への洗浄水３２の供給ができるようにビデバルブ７０を備えて連結されるビデインレット管７１と、
上記ビデバルブ７０と水槽３３の間に、供給管３１ｂには停電の時にも水槽３３に洗浄水３２の供給ができるように具備される手動バルブ７２と、
上記手動バルブ７２位置の供給管３１ｂに、非停電状態の平常時に水槽３３に洗浄水３２の供給ができるように、手動バルブ７２を迂回するバイパス管７５の中途に具備される水槽バルブ７３とを設置して構成することを特徴とするビデと連係された便器節水装置。
【請求項６】
請求項２において、上記便座３４には設定時間以上着座状態が感知される場合、大便と見なして水槽バルブ７３を開放して水槽３３に洗浄水３２を大便水位ＬＬまで供給する着座センサー８０を具備することを特徴とするビデと連係された便器節水装置。
【請求項７】
請求項２において、上記便器３０にビデ４０を排除して洗浄水３２を供給するための配管やバルブ及びコントロールパッドだけを設置して、ただ便器３０だけ独立して洗浄水の節約ができるようにすることを特徴とする便器節水装置。
【請求項８】
請求項２において、前記便座３４には用便後、用便部位及び局部の洗浄と乾燥ができるように便座３４底面に洗浄用ノズル３７と乾燥ノズル３８と、多数個の操作ボタンを持つコントロールパッド３６を含むビデ４０とが設置されることを特徴とするビデと連係された便器節水装置。
【請求項９】
請求項２において、上記供給管３１ｃの中途に一つのインレット部９０と２つのアウトレット部９１，９２を持つ３方弁ポンプ９３を設置して、上記３方弁ポンプ９３のアウトレット部９１と９２に接続されたビデインレット管９４と水槽インレット管９５により、ビデ４０と水槽３３への洗浄水３２の供給ができるように構成することを特徴とするビデと連係された便器節水装置。
【請求項１０】
請求項２において、上記水槽３３に洗浄水３２を供給するインレット管１００には流量感知器１０１を設置して、上記流量感知器１０１を通じて感知される流量を制御部５０が感知することにより、水槽バルブ４７を開、閉して大便水位ＬＬと小便水位ＳＬを決めるように構成したことを特徴とするビデと連係された便器節水装置。
【発明の詳細な説明】
【技術分野】
【０００１】
本発明はビデと連係された便器節水装置及び方法に関したもので、更に詳細にはビデの制御部と便器水槽の水位感知で大、小便によって水の使用量が各々選ばれて水の節約ができるようにしたものである。
【背景技術】
【０００２】
一般的な便器の場合、水タンクや上水管と連結されて、水洗に必要になる一定量の水を貯蔵するための水槽を後側に具備して、その前方には座れる便座を持つ便器が具備される構成である。
【発明の開示】
【発明が解決しようとする課題】
【０００３】
このような構成で使用者が便器を通じて小便と大便の区分なしに用便が終わったら、いつも一定量の洗浄水が水槽から供給され、便器を洗浄することになっているが、日常生活で特に小便回数が多い実情を勘案すると、相当な水が無駄遣いされている。このような水の無駄遣いを防止するために、便器の水槽に煉瓦やＰＥＴ瓶のような物を投入したりしているが、そうした場合も全体的な水の量は若干減らすことができるが、大、小便の種類によって水の量を減らすことはできないから、あまり効果がないようである。
【０００４】
最近、用便後、トイレットペーパーを使わないで、水を使って用便部位を洗浄してから、空気を利用して水気を乾燥するように、洗浄ノズルと乾燥ノズルを便座の底面に持つビデがよく使われている。上記のようにビデを使う場合も大、小便後洗浄水を使用する量は従来と同じであり、ビデを使用する用便部位や局部洗浄のために別途のビデ洗浄水を更に使用するから、かえって水の使用量は従来の便器に比べて増加することになる問題点がある。上記のように大、小便の種類に拘わらず、洗浄水を常に一定に使用する場合は、多くの量は必要のない小便後洗浄時、相当な量の水が無駄に捨てられ、特に小便回数が大便回数より多いので、実質的な水の浪費は相当な量になり、水不足対策の障害となっているのが実情である。
【０００５】
本発明は、上記のような問題点を解決するために発明されたもので、便器に装着して用便後用便部位洗浄のために使用されるビデと連係して、用便種類によって水槽に供給される水の量を異なるようにして、小便の時は少量を、大便の時は大量を供給することにより、無駄遣いされる洗浄水が節約できるようにすることが最も主要な目的である。
【課題を解決するための手段及び発明の効果】
【０００６】
上記課題を解決するために、本発明ビデと連係された便器節水方法は、水タンクや上水管と供給管３１で連結されて水洗に必要になる一定量の洗浄水３２を貯蔵できるように具備される水槽３３と、上記水槽３３の前方には使用者が座れるように具備される便座３４と、上記便座３４には用便後、用便部位及び局部の洗浄と乾燥ができるように便座３４底面に具備する洗浄ノズル３７と乾燥ノズル３８と、多数個の操作ボタンを持つコントロールパッド３６を含むビデ４０とを設置して構成される便器３０において、
上記便器３０に使用される洗浄水３２を節約するために平常時と小便時には便器３０の水槽３３に供給する洗浄水３２を小便後、使用できるように満水位（大便水位）の半分ほどである小便水位ＳＬを維持させて、
大便後はビデ４０に具備される洗浄ボタンや別途の補充ボタンによって洗浄水３２を水槽３３の満水位に当たる大便水位ＬＬを維持するようにして、小便時、洗浄水の節約ができるようにしたことを特徴とする。
【０００７】
上記課題を解決するために本発明ビデと連係された便器節水装置は、水タンクや上水管と供給管３１で連結されて水洗に必要になる一定量の洗浄水３２を貯蔵できるように具備される水槽３３と、上記水槽３３の前方には使用者が座れるように具備される便座３４と、上記便座３４には用便後、用便部位及び局部の洗浄と乾燥ができるように便座３４底面に具備する洗浄ノズル３７と乾燥ノズル３８と、多数個の操作ボタンを持つコントロールパッド３６を含むビデ４０とを設置して構成される便器３０において、
上記供給管３１を利用して水槽３３とビデ４０に洗浄水３２の供給ができるように設置する分枝管４１と、
上記分枝管４１にはビデ４０と水槽３３に洗浄水３２の供給が選ばれるように水槽バルブ４７とビデバルブ５２を有して設置される３方向バルブ４２とを備え、
上記３方向バルブ４２のビデバルブ５２は、コントロールパッド３６に具備されるビデボタン５１の選択で制御部５０によって開閉されるようにし、
上記３方向バルブ４２の水槽バルブ４７は、水槽３３に設置される小便水位ＳＬと大便水位ＬＬを決める小便水位センサー４３と大便水位センサー４４の感知と、上記ビデ４０のコントロールパッド３６に具備される洗浄ボタン４５の選択とで、制御部５０によって開閉されるようにすることを特徴とする。
【０００８】
以上のような本発明は便器に装着して用便後、用便部位洗浄のために使用されるビデと連係して用便種類によって水槽に供給される水の量を異なるようにして、小便の時は少量を、大便の時は大量を供給することにより、無駄遣いされる洗浄水を節約できるようにしたことなど、様々な効果がある発明である。
【発明を実施するための最良の形態】
【０００９】
以下、添付される図面に基づいて、上記目的を果たすための本発明の望ましい実施例の構成と作用について説明する。図１は本発明のビデと連係された便器節水装置を説明するためのビデ付き便器を図示した斜視図、図２は本発明の実施例１が適用されたビデと連係された便器節水装置を図示した構成図、図３は本発明の技術が適用されたビデと連係された便器節水装置の作動状態を図示したフローチャートである。
【００１０】
ビデ付きの便器３０は、水タンクや上水管と供給管３１で連結されて水位に必要になる一定量の洗浄水３２を貯蔵するための水槽３３を後側に具備し、また上記水槽３３の前方には使用者が座れる便座３４を具備する。便座３４には用便後用便部位及び局部洗浄をトイレットペーパーではなく、水（洗浄水；３２）を利用して洗浄してから、また空気利用して水気を乾燥するように多数個の操作ボタンを並べたコントロールパッド３６を一側方に備え、洗浄ノズル３７と乾燥ノズル３８を便座３４の底面に具備したビデ４０が設置されて、使用されるようになっている。
【００１１】
本発明では洗浄水３２を節約できるように、平常時(小便)には便器３０の水槽３３に供給する洗浄水３２を、小便後使用できるように満水位の半分ほどの小便水位ＳＬを維持させ、他方、大便後はビデ４０に具備される洗浄ボタンや別途の補充ボタンによって、洗浄水３２を水槽３３の満水位である大便水位ＬＬで維持させることにして、大、小便による洗浄水量の節約ができるようにする。
【００１２】
このために供給管３１に、分枝管４１を利用して水槽３３とビデ４０へそれぞれ直接的に洗浄水３２が供給できるようにし、上記分枝管４１にはビデ４０と水槽３３へ洗浄水３２の供給を選べる３方向バルブ４２を設置する。上記３方向バルブ４２は水槽３３に設置される、小便水位ＳＬと大便水位ＬＬを決める小便水位センサー４３と大便水位センサー４４の感知と、ビデ４０のコントロールパッド３６に具備される洗浄ボタン４５や別途の補充ボタン４６の作動によって開閉されるようにする。上記３方向バルブ４２の水槽バルブ４７は、日常的状態である小便水位ＳＬを充足するためには、小便水位センサー４３の感知によって遮断されることとなる。
【００１３】
上記水槽３３の小便水位ＳＬの決定は次の通り行われる。水槽３３内に設置される小便水位センサー４３の感知時までは水槽バルブ４７が開放され、小便水位センサー４３によって小便水位ＳＬに至ると、制御部５０は水槽バルブ４７を遮断するようになる。勿論、小便後、局部洗浄のためにコントロールパッド３６に具備されるビデボタン５１を押すことにより、制御部５０がビデバルブ５２を開放させてビデ使用ができるようになる。大便の時には、コントロールパッド３６に具備される洗浄ボタン４５や別途の補充ボタン４６を押すことにより、水槽バルブ４７を開放して、大便水位センサー４４が大便水位ＬＬを感知するまで、洗浄水３２を供給するように構成する。
【００１４】
上記のような本発明は、初期状態として水槽３３に洗浄水３２が供給されていない状態で、ビデ４０を作動させて供給管３１を開放すると、ビデ４０の制御部５０は分枝管４１に繋がれた３方向バルブ４２の水槽バルブ４７の開放可否を、水槽３３に具備される小便水位センサー４３によって判断し、小便水位ＳＬが感知されれば水槽バルブ４７が開放されない。一方、小便水位センサー４３により小便水位ＳＬが感知されないと、制御部５０は水槽バルブ４７を開放して、水槽３３に洗浄水３２を供給する（図３のフローチャート参照）。
【００１５】
このような過程で、水槽３３に具備される小便水位センサー４３により洗浄水３２が感知されると、制御部５０は水槽バルブ４７を遮断して待機状態に置かせる。このような状態で使用者が小便した後、コントロールパッド３６のビデボタン５１を押すと、制御部５０はビデバルブ５２を開放し、局部洗浄を行ってからビデバルブ５２を遮断して、使用者が水槽３３の洗浄水３２を排出する。これにより小便水位センサー４３に洗浄水３２が感知されないようになるので、もう一度水槽バルブ４７を開放して、小便水位ＳＬまで洗浄水３２を供給して待機状態になる。
【００１６】
そして、使用者が大便した後、洗浄のためにコントロールパッド３６に具備される洗浄ボタン４５を押すと（図３のフローチャート参照）、制御部５０から水槽バルブ４７を開放して、大便水位センサー４４によって大便水位ＬＬが感知されるまで、洗浄水３２を供給して大便の排出ができるようにする。又は大便過程で、コントロールパッド３６に別途具備される補充ボタン４６を押す場合にも、同じ動作で水槽３３に洗浄水３２を大便水位ＬＬまで供給するようになる。上記のように、大便水位ＬＬまで満たされた洗浄水３２が使用者により排出されると、その後、制御部５０が初期状態のように水槽バルブ４７を開放して、小便水位センサー４３によって小便水位ＳＬが感知されるまで、洗浄水３２を供給してから待機状態になる。
【００１７】
図４は本発明の実施例２を示している。この例では、供給管３１（３１ａ）に水槽３３への洗浄水３２を供給するための水槽インレット管６０とビデインレット管６１を各々設置して、上記水槽インレット管６０とビデインレット管６１に、水槽バルブ４７（４７ａ）とビデバルブ５２（５２ａ）を独立設置したものであり、このような構成でも構わない。
【００１８】
図５は本発明の実施例３を示すものである。この例では、水槽３３に洗浄水３２を供給する供給管３１の中途で、ビデ４０へ洗浄水３２を供給することができるように、ビデバルブ７０を持つビデインレット管７１を連結する。上記ビデバルブ７０と水槽３３との間の供給管３１中途には、停電の時水槽３３に洗浄水３２を供給されるように手動バルブ７２を具備して、使用者の選択によって開閉ができるようにする。手動バルブ７２がある位置の供給管３１には、停電されていない平常時、水槽３３に洗浄水３２の供給ができるように、水槽バルブ７３を備えた、手動バルブ７２を迂回するバイパス管７５を連結して構成する。勿論、上記ビデバルブ７０と水槽バルブ７３は、ビデ４０に具備されるコントロールパッド３６の洗浄ボタン４５と補充ボタン４６の選択によって、制御部５０が開閉作動させる。
【００１９】
また便座３４に具備される着座センサー８０によって、設定時間以上着座状態が感知される場合、大便と見なして水槽バルブ７３を開放して、水槽３３に洗浄水３２を大便水位ＬＬまで供給するように構成しても構わない。そして、本発明の場合、一般的な便器３０に、ビデ４０を排除した洗浄水３２を供給するための配管やバルブ又はコントロールパッドだけを設置して、ただ便器３０だけ独立して洗浄水を節約するようにしても構わない。
【００２０】
図６は本発明の実施例４を示している。この例では、供給管３１（３１ｃ）の中途に、一つのインレット部９０と二つのアウトレット部９１，９２を持つ３方弁ポンプ９３が設置される。上記３方弁ポンプ９３のアウトレット部９１，９２には、ビデ４０と水槽３３へ洗浄水３２を供給するためのビデインレット管９４と水槽インレット管９５が連結される。これにより３方弁ポンプ９３をビデ４０に具備されるコントロールパッド３６の洗浄ボタン４５と補充ボタン４６の選択によって、制御部５０が開閉作動させるように構成しても構わない。
【００２１】
図７は本発明の実施例５を示している。この例では、水槽３３へ洗浄水３２を供給する水槽インレット管１００の中途に流量感知器１０１を設置して、流量感知器１０１から小便に必要になる流量と大便に必要になる流量を制御部５０が感知することにより、水槽バルブ４７を開閉させて水槽３３に供給する大便水位ＬＬと小便水位ＳＬを制御するように構成しても構わない。この場合は、前述の小便水位センサー４３及び大便水位センサー４４を省略することができる。
【００２２】
以上のような本発明は、現在一般的に使用されている便器やビデの構造的な変更なしに、簡単に設置して洗浄水を節約することができ、特に大便より小便の回数が多いことを勘案すれば、小便する度に約５０％の洗浄水が節減できるので、使用回数が多ければ多いほどたくさんの水が節約できることになる。特に本発明の場合、電源が供給される平常時はもちろん、電源が切れた停電時にも手動バルブで水槽に洗浄水を供給して使用できる長所を持つことになる。
【００２３】
以上のような本発明は、便器に装着して用便後、用便部位洗浄のために使用されるビデと連係して用便種類によって水槽に供給される水の量を異なるようにして、小便の時は少量を、大便の時は大量を供給することにより、無駄遣いされる洗浄水を節約できるようにしたことなど、様々な効果がある発明である。
【図面の簡単な説明】
【００２４】
【図１】本発明であるビデと連係された便器節水装置を説明するためにビデが設置されている便器を図示した斜視図。
【図２】本発明の実施例１が適用されたビデと連係された便器節水装置を図示した構成図。
【図３】本発明の技術が適用されたビデと連係された便器節水装置の作動状態を図示したフローチャート。
【図４】本発明の実施例２が適用されたビデと連係された便器節水装置を図示した構成図。
【図５】本発明の実施例３が適用されたビデと連係された便器節水装置を図示した構成図。
【図６】本発明の実施例４が適用されたビデと連係された便器節水装置を図示した構成図。
【図７】本発明の実施例５が適用されたビデと連係された便器節水装置を図示した構成図。
【符号の説明】
【００２５】
３０  便器
３１  供給管
３３  水槽
３４  便座
３６  コントロールパッド
３７  洗浄ノズル
３８  乾燥ノズル
４０  ビデ
４１  分枝管
４２  ３方向バルブ
４３  小便水位センサー
４４  大便水位センサー
４５  洗浄ボタン
４６  補充ボタン
４７  水槽バルブ
５０  制御部
５１  ビデボタン
５２  ビデバルブ
【図１】
2005054567.tif 000003
【図２】
2005054567.tif 000004
【図３】
2005054567.tif 000005
【図４】
2005054567.tif 000006
【図５】
2005054567.tif 000007
【図６】
2005054567.tif 000008
【図７】
2005054567.tif 000009